(57)【要約】【課題】光学式エンコーダの専用の発光素子を不要にして部品点数を削減することができるとともに、電気基板のレイアウトの自由度を高めることができるデジタルカメラを提供する。【解決手段】デジタルカメラは、外装部材に対して回転操作可能なフロントリングと一体に回転が可能に該フロントリングに支持され、回転方向に複数のスリット５１が一定間隔で設けられた回転部材５と、外装部材に形成される表示窓３に向けて光を照射する発光素子と、発光素子が発光した光を導光して回転部材５に向けて照射する導光部材６と、導光部材６の照射端６２から照射されて回転部材５のスリット５１を通過した光を受光する受光素子７と、を備える。【選択図】図５
2012052853.tif 000002
【特許請求の範囲】
【請求項１】
外装部材と、
前記外装部材に対して回転操作可能な操作部材と、
前記操作部材と一体に移動が可能に前記操作部材に支持され、移動する方向に複数のスリットが設けられた移動部材と、
前記外装部材に形成される表示窓に向けて光を照射する発光素子と、
前記発光素子が発光した光を導光して前記移動部材に向けて照射する導光部材と、
前記導光部材から照射されて前記移動部材のスリットを通過した光を受光する受光素子と、を備えることを特徴とする電子機器。
【請求項２】
外装部材と、
前記外装部材に対して回転操作可能な操作部材と、
前記操作部材と一体に移動が可能に前記操作部材に支持され、移動する方向に複数のスリットが設けられた移動部材と、
前記外装部材に形成される表示窓に向けて光を照射する発光素子と、
前記発光素子が発光した光を導光して前記移動部材に向けて照射する導光部材と、
前記導光部材から照射されて前記移動部材の互いに隣り合う各スリットの間の遮蔽部で反射した光を受光する受光素子と、を備えることを特徴とする電子機器。
【請求項３】
前記発光素子を覆う表示窓を備え、前記導光部材は、前記表示窓と一体に形成されることを特徴とする請求項１又は２に記載の電子機器。
【請求項４】
前記受光素子からの信号に基づき前記操作部材の移動量を検出して、該検出結果に従って表示部の表示制御を行う制御手段を備えることを特徴とする請求項１乃至３のいずれか一項に記載の電子機器。
【発明の詳細な説明】
【技術分野】
【０００１】
本発明は、光学式エンコーダを有するデジタルカメラ等の電子機器に関する。
【背景技術】
【０００２】
従来の光学式エンコーダは、一般に、複数のスリットが形成された移動板と、移動板に向けて光を照射する発光素子と、回転又は直進する移動板のスリットを透過した光、或いは移動板のスリット間の遮蔽部で反射した光を受光する受光素子とを備える。
【０００３】
そして、受光素子で受光した光を光電変換して得られた電気信号をＡ／Ｄ変換することでパルス信号を生成し、生成したパルス信号に基づいて移動板の移動量を検出する（特許文献１及び２）。
【先行技術文献】
【特許文献】
【０００４】
【特許文献１】特開２０００−２３０８４１号公報
【特許文献２】特開平５−２７６７２６号公報
【発明の概要】
【発明が解決しようとする課題】
【０００５】
しかし、上記特許文献１及び２では、光学式エンコーダの構成部品として移動板、発光素子及び受光素子が必須となるため、部品点数の削減は困難である。また、発光素子及び受光素子が実装される電気基板の回路規模が大きくなり、電気基板のレイアウトの自由度が低くなる。
【０００６】
そこで、本発明は、光学式エンコーダの専用の発光素子を不要にして部品点数を削減することができるとともに、電気基板のレイアウトの自由度を高めることができる電子機器を提供することを目的とする。
【課題を解決するための手段】
【０００７】
上記目的を達成するために、本発明の電子機器は、外装部材と、前記外装部材に対して回転操作可能な操作部材と、前記操作部材と一体に移動が可能に前記操作部材に支持され、移動する方向に複数のスリットが設けられた移動部材と、前記外装部材に形成される表示窓に向けて光を照射する発光素子と、前記発光素子が発光した光を導光して前記移動部材に向けて照射する導光部材と、前記導光部材から照射されて前記移動部材のスリットを通過した光を受光する受光素子と、を備えることを特徴とする。
【０００８】
本発明の電子機器は、外装部材と、前記外装部材に対して回転操作可能な操作部材と、前記操作部材と一体に移動が可能に前記操作部材に支持され、移動する方向に複数のスリットが設けられた移動部材と、前記外装部材に形成される表示窓に向けて光を照射する発光素子と、前記発光素子が発光した光を導光して前記移動部材に向けて照射する導光部材と、前記導光部材から照射されて前記移動部材の互いに隣り合う各スリットの間の遮蔽部で反射した光を受光する受光素子と、を備えることを特徴とする。
【発明の効果】
【０００９】
本発明によれば、光学式エンコーダの専用の発光素子を不要にして部品点数を削減することができるとともに、電気基板のレイアウトの自由度を高めることができる。
【図面の簡単な説明】
【００１０】
【図１】本発明の電子機器の第１の実施形態であるデジタルカメラを説明するための外観斜視図である。
【図２】ユーザによる露光補正或いはホワイトバランスの設定方法について説明するためのフローチャート図である。
【図３】光学式エンコーダを説明するための分解斜視図である。
【図４】表示窓と導光部材との接続例を示す拡大斜視図である。
【図５】光学式エンコーダの組立状態を示す斜視図である。
【図６】本発明の電子機器の第２の実施形態であるデジタルカメラに設けられる光学式エンコーダの要部斜視図である。
【図７】図６の下方から見た斜視図である。
【図８】本発明の電子機器の第３の実施形態であるデジタルカメラに設けられる光学式エンコーダの分解斜視図である。
【図９】（ａ）は表示窓に一体に設けた２本の腕部と受光素子の保持基板を保持するホルダとの配置例を示す斜視図、（ｂ）は（ａ）の下方から見た斜視図である。
【発明を実施するための形態】
【００１１】
以下、本発明の実施形態を図面を参照して説明する。
【００１２】
（第１の実施形態）
図１は、本発明の電子機器の第１の実施形態であるデジタルカメラを説明するための外観斜視図である。
【００１３】
図１に示すように、本実施形態のデジタルカメラは、カメラ本体１の正面部にレンズ鏡筒１ａが設けられ、レンズ鏡筒１ａの周囲には、フロントリング２がレンズ鏡筒１ａと略同軸となる位置で、外装部材に対して回転操作可能に設けられている。
【００１４】
また、カメラ本体１の正面側上部には、表示窓３がフロントリング２に近接して設けられており、表示窓３の内部には、ＬＥＤ等の発光素子４（図３参照）が配置されている。ここで、フロントリング２は、本発明の操作部材の一例に相当する。
【００１５】
図２は、ユーザによる露光補正或いはホワイトバランスの設定方法について説明するためのフローチャート図である。
【００１６】
まず、撮影時にユーザがカメラ本体１の背面側に設けられた設定キー（不図示）を押すと（ステップＳ２０１）、発光素子４が点灯して光が外装部材に形成される表示窓３に照射される（ステップＳ２０２）。発光素子４の光は表示窓３から射出され、これにより、表示窓３が点灯表示されて、ユーザは露出補正或いはホワイトバランスの設定操作が有効であることを確認することができる。また、カメラ本体１の背面側に設けられたＬＣＤ等の表示部（不図示）には、露出補正或いはホワイトバランスの設定画面が表示される（ステップＳ２０３）。
【００１７】
次に、ユーザがフロントリング２を回転操作すると（ステップＳ２０４）、表示部に表示された設定画面の設定値が段階的に変更される（ステップＳ２０５）。そして、所望の設定値でユーザが設定キーを押すと（ステップＳ２０６）、設定が完了して設定画面が終了し（ステップＳ２０７）、また、発光素子４も消灯して表示窓３が消灯表示される（ステップＳ２０８）。
【００１８】
ここで、不図示の制御部は、設定キーのユーザ操作に基づいて発光素子４の点灯／消灯制御を行い、設定キー及びフロントリング２のユーザ操作に基づいて表示部の表示制御を行う。
【００１９】
また、制御部は、フロントリング２が回転操作された際の回転量（移動量）を光学式エンコーダからの信号に基づき検出し、検出結果に従って表示部に表示される設定画面の設定値を段階的に変更表示する。
【００２０】
次に、図３〜図５を参照して、光学式エンコーダについて説明する。図３は光学式エンコーダを説明するための分解斜視図、図４は表示窓３と導光部材６との接続例を示す拡大斜視図、図５は光学式エンコーダの組立状態を示す斜視図である。
【００２１】
図３に示すように、フロントリング２には、該フロントリングと一体に回転する円環状の回転部材５がフック５ａを介して略同軸に支持されている。回転部材５には、円周方向に一定間隔で複数のスリット５１が形成されており、円周方向に互い隣り合うスリット間が遮光部とされている。ここで、回転部材５は、本発明の移動部材の一例に相当する。
【００２２】
また、発光素子４は、保持基板４ａに保持され、カメラ本体１の正面側から表示窓３により覆われている。表示窓３には、図４に示すように、光ファイバー等からなる２本の導光部材６の採光端６１が接続されている。導光部材６は、発光素子４から照射された光を採光端６１で採光して、採光した光を照射端６２側に導光する。
【００２３】
導光部材６の照射端６２は、図５に示すように、回転部材５の円環部分を軸方向に臨む位置に配置され、回転部材５を間に挟んで導光部材６の照射端６２と対向する位置には、保持基板７ａに保持された受光素子７が配置されている。
【００２４】
ここで、上述したように、ユーザによる露光補正或いはホワイトバランスの設定時に発光素子４が点灯した状態でフロントリング２が回転操作されると、フロントリング２と連動して回転部材５が回転する。
【００２５】
そして、回転部材５のスリット５１が導光部材６の照射端６２を横切る際には、導光部材６の照射端６２から照射された光がスリット５１を通過して受光素子７で受光される。また、回転部材５の遮蔽部が導光部材６の照射端６２を横切る際には、導光部材６の照射端６２から照射された光は遮光部で反射して受光素子７で受光されない。
【００２６】
制御部は、受光素子７で受光した光を光電変換して得られた電気信号をＡ／Ｄ変換することでパルス信号を生成し、生成したパルス信号に基づき回転部材５の回転量を検出して、検出結果に従って表示部に表示される設定画面の設定値を段階的に変更する。
【００２７】
以上説明したように、本実施形態では、フロントリング２の回転操作による露出補正或いはホワイトバランスの設定時に表示窓３を点灯表示させる発光素子４を光学式エンコーダの発光素子に兼用している。
【００２８】
このため、光学式エンコーダ専用の発光素子が不要になって部品点数を削減することができ、また、受光素子７近辺の回路規模が小さくなって電気基板のレイアウトの自由度を高めることができる。
【００２９】
（第２の実施形態）
次に、図６及び図７を参照して、本発明の電子機器の第２の実施形態であるデジタルカメラについて説明する。なお、上記第１の実施形態に対して重複又は相当する部分については、各図に同一符号を付してその説明を省略する。
【００３０】
図６は本発明の電子機器の第２の実施形態であるデジタルカメラに設けられる光学式エンコーダの要部斜視図、図７は図６の下方から見た斜視図である。なお、図７では、受光素子７の保持基板７ａの図示を省略している。
【００３１】
図６に示すように、本実施形態のデジタルカメラは、導光部材６の照射端６２が受光素子７側に配置されている。受光素子７の保持基板７ａには、導光部材６の照射端６２が配置される穴７ｂが受光素子７に近接して形成されている。
【００３２】
ここで、上述したように、ユーザによる露光補正或いはホワイトバランスの設定時に発光素子４が点灯した状態でフロントリング２が回転操作されると、フロントリング２と連動して回転部材５が回転する。
【００３３】
そして、図７を参照して、回転部材５のスリット５１が導光部材６の照射端６２を横切る際には、導光部材６の照射端６２から照射された光はスリット５１を通過するため、受光素子７で受光されない。
【００３４】
また、回転部材５の遮蔽部が導光部材６の照射端６２を横切る際には、導光部材６の照射端６２から照射された光は遮光部で反射して受光素子７で受光される。その他の構成及び作用効果は、上記第１の実施形態と同様である。
【００３５】
（第３の実施形態）
次に、図８及び図９を参照して、本発明の電子機器の第３の実施形態であるデジタルカメラについて説明する。なお、上記第１の実施形態に対して重複又は相当する部分については、各図に同一符号を付してその説明を省略する。
【００３６】
図８は、本発明の電子機器の第３の実施形態であるデジタルカメラに設けられる光学式エンコーダの分解斜視図である。図９（ａ）は表示窓３に一体に設けた２本の腕部３ａ，３ｂと受光素子７の保持基板７ａを保持するホルダ９との配置例を示す斜視図、図９（ｂ）は図９（ａ）の下方から見た斜視図である。なお、図９（ｂ）は、受光素子７及び保持基板７ａの図示は省略している。
【００３７】
本実施形態のデジタルカメラは、図８及び図９に示すように、導光部材からなる２本の腕部３ａ，３ｂが表示窓３に一体に設けられ、２本の腕部３ａ，３ｂは、発光素子４から照射された光を照射端３１に導光する。２本の腕部３ａ，３ｂの照射端３１は、凸レンズ形状とされて、導光した光を集光させる。
【００３８】
受光素子７の保持基板７ａは、回転部材５を向く側がホルダ９に保持されており、該ホルダ９には、受光素子７に対応する部位に孔９２が形成されている。また、受光素子７の保持基板７ａには、小孔７１が２つの受光素子７に対してそれぞれ近接して形成されている。
【００３９】
２本の腕部３ａ，３ｂの照射端３１は、保持基板７ａの裏側（ホルダ９の反対側）から２つの小孔７１を臨む位置に配置されている。ホルダ９の孔９１の内周壁の保持基板７ａの小孔７１に対応する部位には、切欠き９１が形成されている。これにより、２本の腕部３ａ，３ｂの照射端３１で集光された光は、保持基板７ａの小孔７１及びホルダ９の切欠き９１を通って回転部材５の円環部分に向けて照射される。
【００４０】
ここで、上述したように、ユーザによる露光補正或いはホワイトバランスの設定時に発光素子４が点灯した状態でフロントリング２が回転操作されると、フロントリング２と連動して回転部材５が回転する。
【００４１】
そして、回転部材５のスリット５１が２本の腕部３ａ，３ｂの照射端３１を横切る際には、照射端３１から照射された光はスリット５１を通過するため、受光素子７で受光されない。また、回転部材５の遮蔽部が２本の腕部３ａ，３ｂの照射端３１を横切る際には、照射端３１から照射された光は遮光部で反射して受光素子７で受光される。その他の構成及び作用効果は、上記第１の実施形態と同様である。
【００４２】
なお、本発明の構成は、上記各実施形態に例示したものに限定されるものではなく、材質、形状、寸法、形態、数、配置箇所等は、本発明の要旨を逸脱しない範囲において適宜変更可能である。
【００４３】
例えば、上記各実施形態では、光学式ロターリエンコーダを例示したが、光学式リニアエンコーダであってもよい。
【符号の説明】
【００４４】
１  カメラ本体
２  フロントリング
３  表示窓
４  発光素子
５  回転部材
６  導光部材
７  受光素子
５１  スリット
【図１】
2012052853.tif 000003
【図２】
2012052853.tif 000004
【図３】
2012052853.tif 000005
【図４】
2012052853.tif 000006
【図５】
2012052853.tif 000007
【図６】
2012052853.tif 000008
【図７】
2012052853.tif 000009
【図８】
2012052853.tif 000010
【図９】
2012052853.tif 000011